(57)【要約】【課題】移動端末機画面に表示される複数のメニューの選択を容易にする。【解決手段】表示部に表示される複数のメニューのうち、少なくとも二つのメニューが予め設定された方角にそれぞれ配置されるメニュー配置段階と、前記予め設定された方角にそれぞれ対応する端末機の入力キーのうち、いずれか一つの入力キーが選択されると、該選択された入力キーに対応する方角に配置されたメニューが実行されるメニュー実行段階と、を含むものである。【選択図】図５
2007200325.tif 000002
【特許請求の範囲】
【請求項１】
表示部に表示される複数のメニューのうち、少なくとも二つのメニューが予め設定された方角にそれぞれ配置されるメニュー配置段階と、
前記予め設定された方角にそれぞれ対応する端末機の入力キーのうち、いずれか一つの入力キーが選択されると、該選択された入力キーに対応する方角に配置されたメニューが実行されるメニュー実行段階と、
を含む移動端末機におけるメニュー選択方法。
【請求項２】
前記予め設定された方角に配置されていない複数のメニューのうち、少なくとも一つが前記予め設定された方角に配置されるように、前記複数のメニューと前記予め設定された方角との間の配置関係を調整するメニュー配置調整段階を含むことを特徴とする請求項１に記載の移動端末機におけるメニュー選択方法。
【請求項３】
前記メニュー配置調整段階は、端末機使用者によって要求がなされた時に実行されることを特徴とする請求項２に記載の移動端末機におけるメニュー選択方法。
【請求項４】
前記予め設定された方角にそれぞれ対応する端末機の入力キーは、ナビゲーション入力キーを構成していることを特徴とする請求項１に記載の移動端末機におけるメニュー選択方法。
【請求項５】
前記メニュー配置段階には、前記表示される複数のメニューのうち、前記予め設定された方角に配置されたメニューとそうでないメニューとが相互に視覚的に区別されるように表示されることを特徴とする請求項１に記載のメニュー選択方法。
【請求項６】
表示部と、
複数の入力キーで構成された入力部と、
前記表示部に表示される複数のメニューのうち、少なくとも二つのメニューが予め設定された方角にそれぞれ配置され、前記予め設定された方角にそれぞれ対応する端末機の入力キーのうちいずれか一つが選択されると、該選択された入力キーに対応する方角に配置されたメニューが実行されるように制御する制御部と、
を備える移動端末機。
【請求項７】
前記制御部は、前記予め設定された方角に配置されていないメニューのうち少なくとも一つが前記予め設定された方角に配置されるように、前記複数のメニューと前記予め設定された方角との間の配置関係を調整するように制御することを特徴とする請求項６に記載の移動端末機。
【請求項８】
前記制御部は、端末機使用者によって要求がなされた時に前記複数のメニューと前記予め設定された方角との間の配置関係を調整するように制御することを特徴とする請求項７に記載の移動端末機。
【請求項９】
前記入力部は、ナビゲーション入力キーを含み、
前記予め設定された方角にそれぞれ対応する端末機の入力キーは、前記ナビゲーション入力キーを構成していることを特徴とする請求項６に記載の移動端末機。
【請求項１０】
前記制御部は、前記複数のメニューのうち、前記予め設定された方角に配置された入力キーとそうでない入力キーとが相互に視覚的に区別されるように表示されるように制御することを特徴とする請求項６に記載の移動端末機。
【請求項１１】
表示部に表示される複数のメニューのうちの一部が、ナビゲーション入力キーに該当する各方角に配置される段階と、
前記ナビゲーション入力キーのうちの一つが選択されると、該選択された入力キーの方角に対応するメニューが実行される段階と、
を含む移動端末機におけるメュー選択方法。
【請求項１２】
前記ナビゲーション入力キーに対応する方角に配置されるメニューが、同方角に配置されていないメニューに比べて拡大されて表示される段階を含むことを特徴とする請求項１１に記載の移動端末機におけるメニュー選択方法。
【請求項１３】
前記表示される複数のメニューの配置が変更されて、前記ナビゲーション入力キーの方角に位置付けられるメニューが変更される段階を含むことを特徴とする請求項１１に記載の移動端末機におけるメニュー選択方法。
【請求項１４】
前記複数のメニューが円形状に配置されて表示されることを特徴とする請求項１１に記載の移動端末機におけるメニュー選択方法。
【発明の詳細な説明】
【技術分野】
【０００１】
この出願は、２００６年１月２３日に出願された韓国特許出願１０−２００６−０００６６５４に基づく優先権を主張するものであり、その内容は全て本明細書に組み込まれる。
【０００２】
本発明は、移動端末機に係り、特に、移動端末機の画面に表示されるメニューを選択する方法及びそのための端末機に関する。
【背景技術】
【０００３】
近年、情報通信分野の目覚ましい発展による情報及び通信環境の急激な変化に伴い、移動通信端末機は現代社会の必需品のようになってきた。
【０００４】
このような移動通信端末機の底辺拡大によるユーザーの欲求増加に応じて、移動通信端末機には、一般の音声通話機能の他にも、短文メッセージ機能、ＭＭＳ（Ｍｕｌｔｉｍｅｄｉａ  Ｍｅｓｓａｇｉｎｇ  Ｓｙｓｔｅｍ）機能、インターネット接続機能が加えられてきた。
【０００５】
さらに、最近では、一つの機器で様々な機能を提供できる集中化傾向が拡大しつつあり、前述した基本的な通信機能以外のＭＰ３再生機能、カメラ機能、ゲーム機能などの多種多様な付加的機能が一つの移動通信端末機により提供されるようになっている。
【発明の開示】
【発明が解決しようとする課題】
【０００６】
したがって、端末機の画面では、上述の様々な機能から派生する様々なメニューが１つの画面に同時に表示される場合が多く、このような様々なメニューのうち、使用者の希望するメニューに使用者がより容易にアクセスできるようにする方法や機器が強く望まれている。
【０００７】
本発明は、上記の問題点を解決するためのもので、その目的は、端末機画面において様々なメニューが１つの画面に同時に表示される時、端末機使用者がこれらのメニューの中で自分の希望するメニューに容易にアクセスできるようにするメニュー選択方法及びこれを実施可能な移動端末機を提供することにある。
【０００８】
さらに、本発明の目的、特徴及び効果は、以下の説明にある程度示されており、また通常の知識を有するものであればそれを検討することにより明らかになり、本発明の実施から理解される。本発明の他の目的及び効果は、添付図面及び特許請求項の範囲に示された構造によっても実現され、達成される。
【課題を解決するための手段】
【０００９】
上記目的を達成するために、第１の発明による移動端末機におけるメニュー選択方法は、表示部に表示される複数のメニューのうち、少なくとも二つのメニューが予め設定された方角にそれぞれ配置されるメニュー配置段階と、前記予め設定された方角にそれぞれ対応する端末機の入力キーのうち、いずれか一つの入力キーが選択されると、該選択された入力キーに対応する方角に配置されたメニューが実行されるメニュー実行段階と、を含むものである。
【００１０】
また、第２の発明による移動端末機は、表示部と、複数の入力キーで構成された入力部と、前記表示部に表示される複数のメニューのうち、少なくとも二つのメニューが予め設定された方角にそれぞれ配置され、前記予め設定された方角にそれぞれ対応する端末機の入力キーのうちいずれか一つが選択されると、該選択された入力キーに対応する方角に配置されたメニューが実行されるように制御する制御部と、を備えるものである。
【００１１】
そして、第３の発明による移動端末機におけるメニュー選択方法は、表示部に表示される複数のメニューのうちの一部が、ナビゲーション入力キーに該当する各方角に配置される段階と、前記ナビゲーション入力キーのうちの一つが選択されると、該選択された入力キーの方角に対応するメニューが実行される段階と、を含むものである。
【００１２】
本発明について上述した概要及び以下の詳細な説明は、例示及び説明のためのものであり、また特許請求の範囲に記載された発明のさらなる説明を提供することを意図している。
【発明の効果】
【００１３】
本発明に係るメニュー選択方法及びこれを実施可能な移動端末機の効果について説明すると、下記の通りである。
【００１４】
本発明によれば、複数個に活性化したメニューアイコンが複数の方角に配置されているため、ナビゲーション入力キーを用いて複数の方角のうちの一つを選択することによって、複数個のメニューアイコンの中で希望するアイコンを選択でき、端末機メニュー選択の速度を著しく向上させることが可能になる。
【発明を実施するための最良の形態】
【００１５】
上述の目的及び特徴は、添付図面と関連する下記の詳細な説明からより明確になる。以下、添付図面を参照しながら、上記目的を具体的に実現できる本発明の好適な実施形態を詳細に説明する。
【００１６】
本発明は、携帯電話、ＰＤＡ（Ｐｅｒｓｏｎａｌ  Ｄｉｇｉｔａｌ  Ａｓｓｉｓｔａｎｃｅ）、ゲーム機などのような移動端末機だけでなく、ＡＴＭ（Ａｕｔｏｍａｔｉｃ  Ｔｅｌｌｅｒ  Ｍａｃｈｉｎｅ）などのようなキオスク端末機にも適用可能である。ただし、以下では説明の便宜から、本発明が携帯電話のような移動端末機に適用された場合について述べる。したがって、本発明は、以下の説明及び実施形態に限定されない。
【００１７】
図１は、本発明による移動端末機の概略構成を示すブロック図であり、図２は、図１の移動端末機の正面図である。
【００１８】
図１及び図２に示すように、本発明による移動端末機１は、表示部１００、記憶部２００、無線処理部３００、入力部４００、及び制御部５００を備えて構成される。もちろん、本発明による移動端末機１に、前述した構成要素以外にも他の付加的構成要素、例えば、移動放送受信部（図示省略）、カメラ部（図示省略）等を備えることができるが、これらの付加的構成要素は、本発明と直接的に関連したものでないため、本発明の説明を簡単にするためにその詳細な説明は省略する。
【００１９】
以下、本発明による移動端末機１を構成する上記各構成要素について説明する。
【００２０】
表示部１００は、移動端末機１によって提供される各種機能を実行するためのメニューを表示するものである。これらのメニューは、端末機使用者によるメニュー選択が容易となるように表示されるが、これについては後述する。
【００２１】
記憶部２００は、移動端末機１によって提供される様々な機能を駆動するためのソフトウェア及びそれに係る各種データを保存するものである。
【００２２】
無線処理部３００は、移動端末機が外部と音声通話、短文メッセージなどで通信できるようにＲＦ信号を処理する役割を担うものである。
【００２３】
入力部４００は、端末機使用者が移動端末機１００に各種命令または情報を入力できるようにするものである。入力部４００は、キーパッド形態とするのが望ましく、特に、ナビゲーション入力キー４１０を含んで構成されるのがより望ましい。入力部４００は、表示部１００に上記メニューを表示させる方式と関連して端末機使用者にそれらのメニューをより容易に選択できるようにするものであり、それについては後述する。
【００２４】
制御部５００は、表示部１００、記憶部２００、無線処理部３００、及び入力部４００を制御する役割を担うものである。特に、制御部５００は、後述の本発明によるメニュー選択方法が、移動端末機１で実施できるようにするものである。
【００２５】
上記移動端末機で実施される本発明によるメニュー選択方法は、表示部１００に表示されるメニューのうち、特定の方角に表示されるメニューを入力部４００のキーパッドの特定キーと一対一で対応させることによって、端末機使用者が特定キーを押下すると、特定の方角に表示されたメニューが実行されるようにする。
【００２６】
このようなメニュー選択方法についての具体的な実施形態を、図３Ａ〜図５を参照して説明する。
【００２７】
図３Ａ及び図３Ｂは、本発明によるメニュー選択方法の一実施形態が実行される時の表示部画面及び入力部を示す図であり、図４は、図３Ａ及び図３Ｂの表示部画面の変形を示す図であり、図５は、本発明によるメニュー選択方法の一実施形態を示すフローチャートである。
【００２８】
本実施形態において、移動端末機は、大別して８つのメニュー（以下、各メニューを便宜上、Ａ、Ｂ、Ｃ、Ｄ、Ｅ、Ｆ、Ｇ及びＨメニューという。）を持っているものとし、これらのメニューのうち、端末機ユーザーの希望するメニューを選択する方法を以下に説明する。
【００２９】
まず、端末機使用者が、移動端末機においてメニュー選択のための手順を開始する（Ｓ５１）。
【００３０】
その後、移動端末機１が提供する各種機能を代表する８つのメニューが、図３Ａ（３ａ−１）に示すように円形状に表示される（Ｓ５２）。すなわち、表示される複数のメニューのうち、少なくとも２のメニューが予め設定された方角にそれぞれ配置される。もちろん、これらのメニューが表示される形態は、上記の円形状に限定されることはなく、例えば、上記メニューが四角形状の形態で表示されても良い。
【００３１】
表示されるメニューのうち、予め設定された方角に配置されるメニューは、その他のメニューと視覚的に区別されて表示されることが好ましい。ここで、予め設定された方角が、必ずしもいずれかの特定の方角に限定されるものではない。ただし、以下の説明においては、予め設定された方角が当該円形のうちの１２時、６時、９時、及び３時の方角として説明する。
【００３２】
したがって、１２時、６時、９時及び３時の方角にそれぞれ配置されるＡメニュー、Ｅメニュー、Ｃメニュー、及びＧメニューは、図３Ａに示すように、その他のメニューよりも拡大され、その他のメニューと視覚的に区別されるように表示される。ただし、このような視覚的区別は、メニュー拡大の方法に限定されず、色または別のインジケーター表示によってなされても良い。
【００３３】
このように拡大されて表示されるＡメニュー、Ｃメニュー、Ｅメニュー、及びＧメニューは、入力部４００の上下左右のナビゲーション入力キー４１０のうち、上側キー４１０−１、下側キー４１０−２、左側キー４１０−３、及び右側キー４１０−４にそれぞれ対応しているが、必ずしもこれに限定されることはない。例えば、Ａメニュー、Ｃメニュー、Ｅメニュー及びＧメニューが、入力部４００の‘２’、‘８’、‘４’、‘６’のキーに対応しても良い。
【００３４】
したがって、端末機使用者が例えばＣメニューを選択しようとする場合、別にメニューの位置を再配置することなく、左側キー４１０−３を押下するとＣメニューが選択される（Ｓ５３、Ｓ５５）。
【００３５】
これにより、左側キー４１０−３によって選択されたＣメニューが実行される（Ｓ５６）。
【００３６】
必要に応じて、端末機使用者が上側キー４１０−１、右側キー４１０−４及び下側キー４１０−２を押下することによってそれに対応するＡメニュー、Ｇメニュー、及びＥメニューをそれぞれ選択することもできる。
【００３７】
一方、端末機使用者が希望するメニューは、上記拡大されて表示されるＡメニュー、Ｃメニュー、Ｅメニュー、及びＧメニュー以外のメニューであっても良い。ここで、端末機使用者が例えばＢメニューを選択することを希望する場合を例に挙げて説明する。
【００３８】
Ｂメニューは、ナビゲーション入力キーのいずれのキーとも対応していない。この場合には、端末機使用者がメニューの再配置のためにナビゲーション入力キーのうち、中央キー４１０−５（必ずしもこれに限定されるものではない）を押下する（Ｓ５３、Ｓ５４）。
【００３９】
こうすると、上記メニューは、図３Ｂ（３ｂ−１）に示すように、例えば時計回り方角に１ずつ移動をする。これにより、端末機使用者が選択しようとするＢメニューは１２時方角に配置され、拡大されて表示される。これと同時に、Ｂメニュー以外のＤメニュー、Ｆメニュー、Ｈメニューもそれぞれ、９時、６時、３時方角に拡大されて表示される。
【００４０】
この場合、Ｂメニュー、Ｆメニュー、Ｄメニュー、及びＨメニューは、それぞれナビゲーション入力キーのうち、上側キー４１０−１、下側キー４１０−２、左側キー４１０−３、及び右側キー４１０−４に対応することになる。
【００４１】
したがって、端末機使用者が上側キー４１０−１を押下すると、Ｂメニューが選択されて実行される（Ｓ５５、Ｓ５６）。
【００４２】
必要に応じて、端末機使用者は下側キー４１０−２、左側キー４１０−３、及び右側キー４１０−４を押下することによって、それに対応するＦメニュー、Ｄメニュー、及びＨメニューをそれぞれ選択することができる。
【００４３】
一方、図４（４ａ），（４ｂ）に示すように、表示されるメニューの中央部にナビゲーション入力キーの形状を表示して、ナビゲーション入力キーのそれぞれに割り当てられるメニューがより明確に端末機使用者に認識されるようにしても良い。これについては、本発明の技術分野における通常の知識を持つ者にとって容易に理解できるはずで、詳細な説明は説明を簡便にするために省略される。
【００４４】
本発明は、本発明の技術的思想及び特徴から逸脱しない範囲内で様々な特定形態に具体化できることは、当業者にとっては自明である。したがって、上記具体例は限定的なものではなく例示的なものとして解釈しなければならない。本発明の範囲は、特許請求の範囲の合理的解釈によって定められなければならなく、本発明の均等範囲内でなされるあらゆる変更も本発明の範囲に含まれる。
【図面の簡単な説明】
【００４５】
添付図面は、本発明の更なる理解を提供するために含まれ、また組み入れられて本出願の一部を構成する。そして、本発明の実施形態を示し、詳細な説明と共に本発明の原理を説明するのに役立つ。
【図１】本発明による移動端末機の概略構成を示すブロック図である。
【図２】図１の移動端末機の正面図である。
【図３Ａ】本発明によるメニュー選択方法の一実施形態が実行される時の表示部の画面及び入力部を示す図である。
【図３Ｂ】本発明によるメニュー選択方法の一実施形態が実行される時の表示部の画面及び入力部を示す図である。
【図４】図３Ａ及び図３Ｂの表示画面の変形例を示す図である。
【図５】本発明によるメニュー選択方法の一実施形態を示すフローチャートである。
【符号の説明】
【００４６】
１…移動端末機
２００…表示部
４００…入力部
４１０…ナビゲーション入力キー
５００…制御部
【図１】
2007200325.tif 000003
【図２】
2007200325.tif 000004
【図３Ａ】
2007200325.tif 000005
【図３Ｂ】
2007200325.tif 000006
【図４】
2007200325.tif 000007
【図５】
2007200325.tif 000008
【外国語明細書】
2007200325.tif 000009
2007200325.tif 000010
2007200325.tif 000011
2007200325.tif 000012
2007200325.tif 000013
2007200325.tif 000014
2007200325.tif 000015
2007200325.tif 000016
2007200325.tif 000017
2007200325.tif 000018
2007200325.tif 000019
2007200325.tif 000020
2007200325.tif 000021
2007200325.tif 000022
2007200325.tif 000023
2007200325.tif 000024
2007200325.tif 000025
【図１】
2007200325.tif 000026
【図２】
2007200325.tif 000027
【図３Ａ】
2007200325.tif 000028
【図３Ｂ】
2007200325.tif 000029
【図４】
2007200325.tif 000030
【図５】
2007200325.tif 000031